(57)【要約】【課題】注ぎ口の開口に消費者が直接唇をつけて飲むことが可能な構造であると共に、容易に引き裂いて注ぎ口を開封することができ、しかも、開封した注ぎ口を再び覆うことができ、また、注ぎ口を広く確保することもできる包装容器及び包装容器用開封装置を提供する【解決手段】スリーブ上端部に頂部がインジェクション成形によってプラスチックで形成され、スリーブ下端部の開口から食品が充填され、底部がシールされて得られた包装容器であって、容器頂部が、平面視円形の注出口と、注出口の外周に形成された肉薄部を介して注出口を封止する平坦な板状蓋部と、注出口を上端に有する筒状首部と、筒状首部の下端部と上端で接合し、下端でスリーブ上端部と接合し、水平断面積が上方に減少する肩部とを備え、蓋部が、蓋部の開封予定位置から垂下し、首部の外縁に沿って、肩部の上縁の上方に至る枠状プルタブを備える。【選択図】図１
2015024850.tif 000002
【特許請求の範囲】
【請求項１】
ウェブ状の積層紙包装材料が所定形状に裁断され、容器縦方向に縦シールしたスリーブが得られ、該スリーブ上端部に薄い器壁厚の容器頂部がインジェクション成形によってプラスチックで形成され、該スリーブ下端部である容器底部の開口から食品が充填され、該底部がシールされて得られた包装容器であって、
該容器頂部が、平面視円形の注出口と、該注出口の外周に形成された肉薄部を介して該注出口を封止する平坦な板状蓋部と、該注出口を上端に有する筒状首部と、該筒状首部の下端部と上端で接合し、下端で該スリーブ上端部と接合し、水平断面積が上方に減少する肩部とを備え、
該蓋部が、該蓋部の開封予定位置から垂下し、該首部の外縁に沿って、該肩部の上縁の上方に至る枠状プルタブを備えることを特徴とする包装容器。
【請求項２】
該枠状プルタブが、枠内に膜を備え、膜表面にエンボスが設けられている、請求項１記載の包装容器。
【請求項３】
該蓋部が、該開封予定位置の反対側の注出口に、落下防止手段を備え、該落下防止手段が、一端で該蓋部と、他端で該首部又は該肩部と接合し、該肩部下部に設けられたフックに開封に係止される、請求項１記載の包装容器。
【請求項４】
薄い器壁厚の容器頂部である開封装置が、平面視円形の注出口と、該注出口の外周に形成された肉薄部を介して該注出口を封止する平坦な板状蓋部と、該注出口を上端に有する筒状首部と、該筒状首部の下端部と上端で接合し、下端で該スリーブ上端部と接合し、水平断面積が上方に減少する肩部とを備え、
該蓋部が、該蓋部の開封予定位置から垂下し、該首部の外縁に沿って、該肩部の上縁の上方に至る枠状プルタブを備え、
該容器頂部の開封装置が、インジェクション成形によってプラスチックで一体的に形成され、インジェクション成形において、該スリーブの上端内側に配設された内型と該スリーブの上端外側に配設された割型の外型とで囲まれたキャビティに射出され、該割型の境界面上に、該枠状プルタブが成形されることを特徴とする包装容器用開封装置。
【発明の詳細な説明】
【技術分野】
【０００１】
本発明は、ジュースや牛乳などの液体食品などを充填する包装紙容器及び包装容器用開封装置に関する。
【背景技術】
【０００２】
牛乳、ジュース、ミネラルウォーターなどの飲料、流動食品などの紙包装容器は、例えば、繊維質基材（例えば、紙など）／ポリエチレン等の熱可塑性材料層の積層体の包装材料から得られる。
【０００３】
液体食品用包装容器には、包装容器本体と、液体食品を注ぎ出すための蓋部分とからなる複合包装容器がある。通常、蓋部分はポリエチレン、ポリプロピレン、ポリスチレンなどのプラスチックから成形されている。
図４、図６に複合包装容器の一例を示す。この包装容器１は紙容器本体（容器スリーブ）２とプラスチック容器頂部３とからなる。容器頂部３の頂部中央には、注ぎ口（注出口）４用の蓋部５が一体成形されている。使用（開封）時には、プルタブ１５を使い（図４では、）、カバー外縁を周回する脆弱な弱め線（肉薄部）６を引き裂いて蓋部５を引き上げ、注ぎ口４を開口する。
【０００４】
図５に、図４、図６に図示する複合包装容器を製造する装置の一例を示す。
装置例に示すように、ウェブ状の積層紙包装材料を巻き上げたリール７を準備する。リール７からウェブ状の紙包装材料を引き出して、所定の形状に切断し、紙製容器用の筒状容器スリーブ８を得る。ついで、そのスリーブ上端部にインジェクション成形装置９によってプラスチックで容器頂部３が形成される。容器を逆さにしてスリーブ下端部の容器底部の開口から充填装置１０によって食品を充填する。その後、底部をシール装置（図示せず）シールし、反転して包装容器１を得る。
【０００５】
上記の紙製の複合包装容器の成形において使用されるインジェクション成形用のプラスチックは、その特性が限定された主に低密度ポリエチレン（ＬＤＰＥ）が使用されている。
このようなプラスチックで成形された容器頂部は、比較的軟らかく、図６に示す容器では、カバー外縁を周回する脆弱な弱め線（肉薄部）６を容易に引き裂いて蓋部５を引き上げて注ぎ口４を開封し、注ぎ口４を広くあける。
【０００６】
開封後に注ぎ口４を広く確保するために、引き上げられた蓋部をフックで反対側に係止する。（特許文献２参照）。また、注ぎ口を広く確保するために、紙製包装容器の頂部が片流れ屋根形状に成形する。（特許文献１参照）更に、開封後に、一時的に注ぎ口を覆う機能を備える。
【先行技術文献】
【特許文献】
【０００７】
【特許文献１】国際公開０２／１００２０号公報
【特許文献２】特開２００８−１５５９４８号公報
【特許文献３】特開２００７−５５６７３７号公報
【発明の概要】
【発明が解決しようとする課題】
【０００８】
本発明は、注ぎ口の開口に消費者が直接唇をつけて飲むことが可能な構造であると共に、容易に引き裂いて注ぎ口を開封することができ、しかも、開封した注ぎ口を再び覆うことができ、また、注ぎ口を広く確保することもできる包装容器及び包装容器用開封装置を提供することを目的とする。
【課題を解決するための手段】
【０００９】
この課題を解決する本発明の包装容器は、ウェブ状の積層紙包装材料が所定形状に裁断され、容器縦方向に縦シールしたスリーブが得られ、スリーブ上端部に薄い器壁厚の容器頂部がインジェクション成形によってプラスチックで形成され、スリーブ下端部である容器底部の開口から食品が充填され、底部がシールされて得られた包装容器であって、
容器頂部が、平面視円形の注出口と、注出口の外周に形成された肉薄部を介して注出口を封止する平坦な板状蓋部と、注出口を上端に有する筒状首部と、筒状首部の下端部と上端で接合し、下端でスリーブ上端部と接合し、水平断面積が上方に減少する肩部とを備え、
蓋部が、蓋部の開封予定位置から垂下し、首部の外縁に沿って、肩部の上縁の上方に至る枠状プルタブを備えることを特徴とする。
【００１０】
この発明の好ましい態様において、枠状プルタブが、枠内に膜を備え、膜表面にエンボスが設けられている。
【００１１】
この発明の好ましい態様において、蓋部が、開封予定位置の反対側の注出口に、落下防止手段を備え、落下防止手段が、一端で蓋部と、他端で首部又は肩部と接合し、肩部下部に設けられたフックに開封時に係止される。
【００１２】
この発明の包装容器用開封装置において、薄い器壁厚の容器頂部である開封装置が、平面視円形の注出口と、注出口の外周に形成された肉薄部を介して注出口を封止する平坦な板状蓋部と、注出口を上端に有する筒状首部と、筒状首部の下端部と上端で接合し、下端でスリーブ上端部と接合し、水平断面積が上方に減少する肩部とを備え、
蓋部が、蓋部の開封予定位置から垂下し、首部の外縁に沿って、肩部の上縁の上方に至る枠状プルタブを備え、
容器頂部の開封装置が、インジェクション成形によってプラスチックで一体的に形成され、インジェクション成形において、スリーブの上端内側に配設された内型とスリーブの上端外側に配設された割型の外型とで囲まれたキャビティに射出され、割型の境界面上に、枠状プルタブが成形されることを特徴とする。
【発明の効果】
【００１３】
上記構成の本発明によれば、以下の作用機能を発揮し、有利な効果が得られる。
本発明の包装容器及び包装容器用開封装置では、ウェブ状の積層紙包装材料が所定形状に裁断され、容器縦方向に縦シールした容器スリーブが得られ、スリーブ上端部に薄い器壁厚の容器頂部がインジェクション成形によってプラスチックで形成され、スリーブ下端部である容器底部の開口から食品が充填され、底部がシールされて包装容器が得られる。
上述の包装容器では、容器頂部の形状、寸法を非常に幅広い範囲で変更、選択することができる。そのようなオプションの中で、本発明の包装容器の所望の頂部を選択し、成形することができる。
【００１４】
本発明による容器頂部が、平面視円形の注出口と、注出口の外周に形成された肉薄部を介して注出口を封止する平坦な板状蓋部と、注出口を上端に有する筒状首部と、筒状首部の下端部と上端で接合し、下端でスリーブ上端部と接合し、水平断面積が上方に減少する肩部とを備える。
注出口の形状は、平面から視て円形である。直接唇をつけて飲むことが可能である。
蓋部は、その形状が、平坦な板状である。包装容器の流通過程で取扱い容易にすることができる。また、注出口の外周に形成された肉薄部を介して注出口を封止し、更に、切断容易に肉薄部から開封することができる。
首部及び肩部を形成することにより、容器全体形状が、飲料容器として普及しているビン形状に類似させることができる。
【００１５】
本発明の特徴では、蓋部が、蓋部の開封予定位置から垂下し、首部の外縁に沿って、肩部の上縁の上方に至る枠状プルタブを備える。
容器本体に該当するスリーブの上方の空間に、プルタブを収納することができ、容器全体形状をコンパクトにすることができる。
また、タブを引き上げた時、蓋部との接続箇所で、上向きの集中した力が加えられるため、容易に開封することができ、確実に、蓋部を開封予定位置から引き剥がすことができる。
プルタブの形状が、枠状であるために、消費者が指でプルタブの枠で確実に掴むことができる。
【００１６】
この発明の好ましい態様において、枠状プルタブが、枠内に膜を備え、膜表面にエンボスが設けられている。
膜を備える態様では、両側から指で保持する時、枠の変形が少なくなり、力を入れやすい効果が生じる。指の腹が枠の内側をしっかり保持するため、開封の際にタブに充分な力を与えることができる。
枠の内部にさまざまなパターン、エンボスの滑り止めを設けることが可能になる。
【００１７】
この発明の好ましい態様において、蓋部が、開封予定位置の反対側の注出口に、落下防止手段を備え、落下防止手段が、一端で蓋部と、他端で首部又は肩部と接合し、肩部下部に設けられたフックに開封時に係止される。
蓋部が開封後に落下することを防止することができる。
【００１８】
この発明の包装容器用開封装置では、容器頂部の開封装置が、インジェクション成形によってプラスチックで一体的に形成され、インジェクション成形において、スリーブの上端内側に配設された内型とスリーブの上端外側に配設された割型の外型とで囲まれたキャビティに射出され、割型の境界面上に、枠状プルタブが成形される。
外型は割型となっており、スライド等の摺動部品は備えていない。そのために、金型の寿命を大幅に延ばすことができ、非常に長い稼働時間を確保することができる。
また、複雑な形状若しくは構造の成形を割型の境界面上に配置することができる。
【００１９】
上述のように、注ぎ口の開口に消費者が直接唇をつけて飲むことが可能な構造であると共に、容易に引き裂いて注ぎ口を開封することができ、しかも、開封した注ぎ口を再び覆うことができ、また、注ぎ口を広く確保することもできる包装容器及び包装容器用開封装置を提供することができる。
【図面の簡単な説明】
【００２０】
【図１】図１は、第１の実施例の包装容器の上部の外観を示す側面図である。
【図２】図２は、第２の実施例の包装容器の上部の外観を示す側面図である。
【図３】図３は、第１の実施例の包装容器の外観を示す平面図である。
【図４】図４は、複合包装容器の一例の外観を示す側面図（ａ）、背面図（ｂ）、正面図（ｃ）、底面図（ｄ）である。
【図５】図５は、複合包装容器を製造する装置の一例を示す概要図である。
【図６】図６は、複合包装容器の一例の外観を示す斜視図である。
【発明を実施するための形態】
【００２１】
以下、本発明の実施の形態について、添付図面を参照しながら詳細に説明する。
複合包装容器及び包装容器用開封装置は、図５に例示す複合包装容器製造装置例によって、ウェブ状の積層紙包装材料７が所定形状に裁断され、容器縦方向に縦シールしたスリーブ８が得られ、スリーブ上端部に薄い器壁厚の容器頂部がインジェクション成形９によってプラスチックで形成され、スリーブ下端部である容器底部の開口から食品が充填装置１０によって充填され、底部がシールされて得られる。
この形態の包装容器では、容器頂部３の形状、寸法を非常に幅広い範囲で変更、選択することができる。
【００２２】
第１の実施例の包装容器による容器頂部が、図１に示すように、平面視円形の注出口４と、注出口４の外周に形成された肉薄部１４を介して注出口４を封止する平坦な板状蓋部５と、注出口４を上端に有する筒状首部１１と、筒状首部１１の下端部と上端で接合し、下端でスリーブ２の上端部と接合し、水平断面積が上方に減少する肩部１２とを備える。
注出口４の形状は、平面から視て円形である。直接唇をつけて飲むことができる。
蓋部５は、その形状が、平坦な板状である。包装容器の流通過程で取扱い容易にする。また、注出口４の外周に形成された肉薄部１４を介して注出口４を封止し、更に、切断容易に肉薄部１４から開封する。
図１に図示されるように、首部及び肩部を形成することにより、容器全体形状が、飲料容器として普及しているビン形状に類似させる。
【００２３】
この形態では、蓋部５が、蓋部の開封予定位置１５から垂下し、首部１１の外縁に沿って、肩部１２の上縁の上方に至る枠状プルタブ１３を備える。
容器本体に該当するスリーブ２の上方の空間に、プルタブ１３を収納し、容器全体形状をコンパクトにする。
タブ１３を引き上げた時、蓋部５との接続箇所で、上向きの集中した力が加えられ、容易に開封し、確実に、蓋部５を開封予定位置１５から引き剥がす。
プルタブの形状が、枠状であるために、消費者が指でプルタブの枠で確実に掴むことができる。
【００２４】
この態様において、枠状プルタブ１３が、枠内に膜１６を備え、膜表面にエンボスが設けられている。
膜を備えるこの態様では、両側から指で保持する時、枠の変形が少なくなり、力を入れやすい効果が生じる。指の腹が枠の内側をしっかり保持するため、開封の際にタブに充分な力を与える。
【００２５】
第２の実施例の包装容器による容器頂部が、図２に示すように、平面視円形の注出口４と、注出口４の外周に形成された肉薄部１４を介して注出口４を封止する平坦な板状蓋部５と、注出口４を上端に有する筒状首部１１と、筒状首部１１の下端部と上端で接合し、下端でスリーブ２の上端部と接合し、水平断面積が上方に減少する肩部１２とを備える。
【００２６】
この形態では、蓋部５が、蓋部の開封予定位置１５から垂下し、首部１１の外縁に沿って、肩部１２の上縁の上方に至る枠状プルタブ１３を備える。
【００２７】
この態様において、蓋部５が、開封予定位置１５の反対側の注出口に、ヒモ状の落下防止手段１７を備え、落下防止手段１７が、一端で蓋部５と、他端で首部１１と接合し、肩部１２の下部に設けられたフック１８に開封時に係止される。
蓋部５が開封後に落下することを防止する。
【００２８】
この態様の包装容器用開封装置では、容器頂部３の開封装置が、インジェクション成形によってプラスチックで一体的に形成され、インジェクション成形において、スリーブの上端内側に配設された内型（図示せず）とスリーブの上端外側に配設された割型の外型（図示せず）とで囲まれたキャビティ（図示せず）に射出され、図３に示すように、割型の境界面２０上に、枠状プルタブ１３が成形される。
外型は割型となっており、スライド等の摺動部品は備えていない。金型の寿命を大幅に延ばし、非常に長い稼働時間を確保する。
この形態では、複雑な形状や構造のリブの成形を割型の境界面上に配置する。
【００２９】
なお、本発明は前記実施の形態に限定されるものではなく、本発明の趣旨に基づいて種々変形させることが可能であり、それらを本発明の範囲から排除するものではない。
【産業上の利用可能性】
【００３０】
この発明は、液体食品の包装充填の製造に適用することができる。
【符号の説明】
【００３１】
１  ・・・包装容器
２  ・・・スリーブ
３  ・・・容器頂部
４  ・・・注出口
５  ・・・蓋部
１１  ・・首部
１２  ・・肩部
１４  ・・肉薄部
１３  ・・枠状プルタブ
【図１】
2015024850.tif 000003
【図２】
2015024850.tif 000004
【図３】
2015024850.tif 000005
【図４】
2015024850.tif 000006
【図５】
2015024850.tif 000007
【図６】
2015024850.tif 000008